(57)【要約】【課題】簡単な構成によって寿命が到来したことを判定可能なＬＥＤ照明装置およびその寿命判定方法を提供すること。【解決手段】ＬＥＤ照明装置は、交流電源１と、交流電源１の交流を整流する整流回路２と、整流回路２によって整流された直流電流を平滑化する平滑回路３と、平滑回路３によって平滑化された電流を一定の電流にして出力する定電流回路４と、定電流回路４によって定電流駆動されるＬＥＤ５と、ＬＥＤ５の照度を検知する第１検知部６と、第１検知部６によって検知されたＬＥＤ５の照度が閾値ＬT以下になると、ＬＥＤ照明装置の光束的寿命が到来したと判定する制御回路７とを備える。【選択図】図１
2014203517.tif 000002
【特許請求の範囲】
【請求項１】
交流電源と、
前記交流電源の交流を整流する整流回路と、
前記整流回路によって整流された直流電流を平滑化する平滑回路と、
前記平滑回路によって平滑化された電流を一定の電流にして出力する定電流回路と、
前記定電流回路によって定電流駆動されるＬＥＤと、
前記ＬＥＤの照度を検知する第１検知部と、
前記第１検知部によって検知された前記ＬＥＤの照度が閾値以下になると、ＬＥＤ照明装置の光束的寿命が到来したと判定する制御回路と
を備えることを特徴とするＬＥＤ照明装置。
【請求項２】
前記制御回路は、前記ＬＥＤの設計光束値の７０％以下の値を前記閾値とすることを特徴とする請求項１に記載のＬＥＤ照明装置。
【請求項３】
前記制御回路は、前記ＬＥＤの調光機能を備える場合は、その調光値の７０％以下の値を前記閾値とすることを特徴とする請求項２に記載のＬＥＤ照明装置。
【請求項４】
前記制御回路は、前記調光値が所定範囲内である場合のみ、前記光束的寿命が到来したと判定することを特徴とする請求項３に記載のＬＥＤ照明装置。
【請求項５】
前記制御回路は、前記調光値が１００％〜３０％の範囲内である場合のみ、前記光束的寿命が到来したと判定することを特徴とする請求項４に記載のＬＥＤ照明装置。
【請求項６】
前記制御回路は、前記ＬＥＤの照度を積算して平均化したうえで前記閾値と比較することを特徴とする請求項１〜５のいずれか１項に記載のＬＥＤ照明装置。
【請求項７】
前記第１検知部は、前記ＬＥＤの近傍の所定位置に設置された第１照度センサであることを特徴とする請求項１〜６のいずれか１項に記載のＬＥＤ照明装置。
【請求項８】
前記第１照度センサは、直管形のＬＥＤランプが備える口金の内側に設置されることを特徴とする請求項７に記載のＬＥＤ照明装置。
【請求項９】
前記第１照度センサは、シーリングライトが備える電源基板上に設置されることを特徴とする請求項７に記載のＬＥＤ照明装置。
【請求項１０】
前記平滑回路が備える電解コンデンサの容量変化に応じて光出力が変化する検知用ＬＥＤと、
前記検知用ＬＥＤの光出力を検知する第２検知部と
を備え、
前記制御回路は、前記検知用ＬＥＤの明滅が所定レベル以上になると、ＬＥＤ照明装置の電源寿命が到来したと判定することを特徴とする請求項１〜９のいずれか１項に記載のＬＥＤ照明装置。
【請求項１１】
前記第２検知部は、前記検知用ＬＥＤの近傍の所定位置に設置された第２照度センサであることを特徴とする請求項１０に記載のＬＥＤ照明装置。
【請求項１２】
前記制御回路は、パイロットランプを制御することによって前記光束的寿命または前記電源寿命が到来した旨を報知することを特徴とする請求項１〜１１のいずれか１項に記載のＬＥＤ照明装置。
【請求項１３】
前記制御回路は、前記定電流回路の出力を低下させることによって前記光束的寿命または前記電源寿命が到来した旨を報知することを特徴とする請求項１〜１１のいずれか１項に記載のＬＥＤ照明装置。
【請求項１４】
前記制御回路は、前記定電流回路の出力を停止させることによって前記光束的寿命または前記電源寿命が到来した旨を報知することを特徴とする請求項１〜１１のいずれか１項に記載のＬＥＤ照明装置。
【請求項１５】
交流電源の交流を整流する整流ステップと、
整流された直流電流を平滑化する平滑ステップと、
平滑化された電流を一定の電流にしてＬＥＤを定電流駆動する駆動ステップと、
前記ＬＥＤの照度を検知する第１検知ステップと、
検知された前記ＬＥＤの照度が閾値以下になると、ＬＥＤ照明装置の光束的寿命が到来したと判定する判定ステップと
を有することを特徴とするＬＥＤ照明装置の寿命判定方法。
【請求項１６】
前記ＬＥＤの設計光束値の７０％以下の値を前記閾値とすることを特徴とする請求項１５に記載のＬＥＤ照明装置の寿命判定方法。
【請求項１７】
前記ＬＥＤの調光機能を備える場合は、その調光値の７０％以下の値を前記閾値とすることを特徴とする請求項１６に記載のＬＥＤ照明装置の寿命判定方法。
【請求項１８】
前記調光値が所定範囲内である場合のみ、前記光束的寿命が到来したと判定することを特徴とする請求項１７に記載のＬＥＤ照明装置の寿命判定方法。
【請求項１９】
前記調光値が１００％〜３０％の範囲内である場合のみ、前記光束的寿命が到来したと判定することを特徴とする請求項１８に記載のＬＥＤ照明装置の寿命判定方法。
【請求項２０】
前記ＬＥＤの照度を積算して平均化したうえで前記閾値と比較することを特徴とする請求項１５〜１９のいずれか１項に記載のＬＥＤ照明装置の寿命判定方法。
【請求項２１】
前記ＬＥＤの近傍の所定位置に設置された第１照度センサによって前記ＬＥＤの照度を検知することを特徴とする請求項１５〜２０のいずれか１項に記載のＬＥＤ照明装置の寿命判定方法。
【請求項２２】
前記第１照度センサは、直管形のＬＥＤランプが備える口金の内側に設置されることを特徴とする請求項２１に記載のＬＥＤ照明装置の寿命判定方法。
【請求項２３】
前記第１照度センサは、シーリングライトが備える電源基板上に設置されることを特徴とする請求項２１に記載のＬＥＤ照明装置の寿命判定方法。
【請求項２４】
前記直流電流を平滑化する平滑回路が備える電解コンデンサの容量変化に応じて光出力が変化する検知用ＬＥＤの光出力を検知する第２検知ステップを有し、
前記検知用ＬＥＤの明滅が所定レベル以上になると、ＬＥＤ照明装置の電源寿命が到来したと判定することを特徴とする請求項１５〜２３のいずれか１項に記載のＬＥＤ照明装置の寿命判定方法。
【請求項２５】
前記検知用ＬＥＤの近傍の所定位置に設置された第２照度センサによって前記検知用ＬＥＤの光出力を検知することを特徴とする請求項２４に記載のＬＥＤ照明装置の寿命判定方法。
【請求項２６】
パイロットランプを制御することによって前記光束的寿命または前記電源寿命が到来した旨を報知することを特徴とする請求項１５〜２５のいずれか１項に記載のＬＥＤ照明装置の寿命判定方法。
【請求項２７】
前記ＬＥＤを定電流駆動する定電流回路の出力を低下させることによって前記光束的寿命または前記電源寿命が到来した旨を報知することを特徴とする請求項１５〜２５のいずれか１項に記載のＬＥＤ照明装置の寿命判定方法。
【請求項２８】
前記ＬＥＤを定電流駆動する定電流回路の出力を停止させることによって前記光束的寿命または前記電源寿命が到来した旨を報知することを特徴とする請求項１５〜２５のいずれか１項に記載のＬＥＤ照明装置の寿命判定方法。
【発明の詳細な説明】
【技術分野】
【０００１】
本発明は、ＬＥＤ照明装置およびその寿命判定方法に関する。
【背景技術】
【０００２】
従来、照明装置の寿命が到来したことを判定する技術が知られている。例えば、特許文献１には、累積カウンタに積算された放電灯点灯時間が電解コンデンサの保証期間を超えたときに寿命が到来したと判定することが開示されている。また、特許文献２には、点灯装置内にある電解コンデンサの両端電圧を電圧検出回路でモニタすることにより寿命を判定することが開示されている。
【先行技術文献】
【特許文献】
【０００３】
【特許文献１】特開２００１−１８５３７４号公報
【特許文献２】特許第４７３６４６４号公報
【発明の概要】
【発明が解決しようとする課題】
【０００４】
しかしながら、従来技術によると、照明装置の寿命が到来したことを判定するためには累積カウンタや電圧検出回路を設ける必要があり、コスト高や大型化を招く問題がある。
【０００５】
本発明の目的は、簡単な構成によって寿命が到来したことを判定可能なＬＥＤ照明装置およびその寿命判定方法を提供することにある。
【課題を解決するための手段】
【０００６】
本発明の一態様によれば、交流電源と、前記交流電源の交流を整流する整流回路と、前記整流回路によって整流された直流電流を平滑化する平滑回路と、前記平滑回路によって平滑化された電流を一定の電流にして出力する定電流回路と、前記定電流回路によって定電流駆動されるＬＥＤと、前記ＬＥＤの照度を検知する第１検知部と、前記第１検知部によって検知された前記ＬＥＤの照度が閾値以下になると、ＬＥＤ照明装置の光束的寿命が到来したと判定する制御回路とを備えるＬＥＤ照明装置が提供される。
【０００７】
また、本発明の他の態様によれば、交流電源の交流を整流する整流ステップと、整流された直流電流を平滑化する平滑ステップと、平滑化された電流を一定の電流にしてＬＥＤを定電流駆動する駆動ステップと、前記ＬＥＤの照度を検知する第１検知ステップと、検知された前記ＬＥＤの照度が閾値以下になると、ＬＥＤ照明装置の光束的寿命が到来したと判定する判定ステップとを有するＬＥＤ照明装置の寿命判定方法が提供される。
【発明の効果】
【０００８】
本発明によれば、簡単な構成によって寿命が到来したことを判定可能なＬＥＤ照明装置およびその寿命判定方法を提供することができる。
【図面の簡単な説明】
【０００９】
【図１】実施の形態に係るＬＥＤ照明装置の模式的ブロック構成図。
【図２】図１に示されるＬＥＤ照明装置の模式的回路構成図。
【図３】実施の形態に係るＬＥＤ照明装置の動作のフローチャート。
【図４】実施の形態に係るＬＥＤ照明装置の光束的寿命の判定動作のフローチャート。
【図５】実施の形態に係るＬＥＤ照明装置の電源寿命の判定動作のフローチャート。
【図６】実施の形態に係るＬＥＤ照明装置の電源寿命の別の判定動作のフローチャート。
【図７】実施の形態に係るＬＥＤ照明装置の模式的断面構造図。
【図８】実施の形態に係る別のＬＥＤ照明装置の説明図であって、（ａ）模式的平面構造図、（ｂ）模式的断面構造図。
【図９】図８（ａ）に示される領域Ｅを拡大した模式的平面構造図。
【図１０】実施の形態に係るＬＥＤ照明装置が備える第１照度センサまたは第２照度センサのデバイス構造図。
【図１１】図１０に示されるデバイス構造の等価回路図。
【図１２】実施の形態に係るＬＥＤ照明装置の電源寿命が到来していない場合の波形を示す図であって、（ａ）交流電源の出力波形、（ｂ）整流回路の出力波形、（ｃ）平滑回路の出力波形、（ｄ）検知用ＬＥＤの光出力波形。
【図１３】実施の形態に係るＬＥＤ照明装置の電源寿命が到来している場合の波形を示す図であって、（ａ）交流電源の出力波形、（ｂ）整流回路の出力波形、（ｃ）平滑回路の出力波形、（ｄ）検知用ＬＥＤの光出力波形。
【発明を実施するための形態】
【００１０】
次に、図面を参照して、本発明の実施の形態を説明する。以下の図面の記載において、同一又は類似の部分には同一又は類似の符号を付している。ただし、図面は模式的なものであり、各構成部品の厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００１１】
又、以下に示す実施の形態は、この発明の技術的思想を具体化するための装置や方法を例示するものであって、この発明の実施の形態は、各構成部品の材質、形状、構造、配置等を下記のものに特定するものでない。この発明の実施の形態は、特許請求の範囲において、種々の変更を加えることができる。
【００１２】
［実施の形態］
以下、実施の形態に係るＬＥＤ照明装置およびその寿命判定方法を詳細に説明する。
【００１３】
（ＬＥＤ照明装置）
実施の形態に係るＬＥＤ照明装置は、図１に示すように、交流電源（ＡＣ電源）１と、交流電源１の交流を整流する整流回路２と、整流回路２によって整流された直流電流を平滑化する平滑回路３と、平滑回路３によって平滑化された電流を一定の電流にして出力する定電流回路４と、定電流回路４によって定電流駆動されるＬＥＤ５と、ＬＥＤ５の照度を検知する第１検知部６と、第１検知部６によって検知されたＬＥＤ５の照度が閾値ＬT以下になると、ＬＥＤ照明装置の光束的寿命が到来したと判定する制御回路７とを備える。
【００１４】
例えば、制御回路７は、ＬＥＤ５の設計光束値の７０％以下の値を閾値ＬTとしても良い。
【００１５】
また、制御回路７は、ＬＥＤ５の調光機能を備える場合は、その調光値の７０％以下の値を閾値ＬT（Ｌn）としても良い。
【００１６】
また、制御回路７は、調光値が所定範囲内（例えば１００％〜３０％の範囲内）である場合のみ、光束的寿命が到来したと判定しても良い。
【００１７】
また、制御回路７は、ＬＥＤ５の照度を積算して平均化したうえで閾値ＬTと比較しても良い。
【００１８】
また、第１検知部６は、ＬＥＤ５の近傍の所定位置に設置された第１照度センサ６であっても良い。
【００１９】
また、第１照度センサ６は、直管形のＬＥＤランプが備える口金の内側に設置されても良い。
【００２０】
また、第１照度センサ６は、シーリングライトが備える電源基板上に設置されても良い。
【００２１】
また、平滑回路３が備える電解コンデンサの容量変化に応じて光出力が変化する検知用ＬＥＤと、検知用ＬＥＤの光出力を検知する第２検知部８とを備え、制御回路７は、検知用ＬＥＤの明滅が所定レベル以上になると、ＬＥＤ照明装置の電源寿命が到来したと判定しても良い。
【００２２】
また、第２検知部８は、検知用ＬＥＤの近傍の所定位置に設置された第２照度センサ８であっても良い。
【００２３】
また、制御回路７は、パイロットランプを制御することによって光束的寿命または電源寿命が到来した旨を報知しても良い。
【００２４】
また、制御回路７は、定電流回路４の出力を低下させることによって光束的寿命または電源寿命が到来した旨を報知しても良い。
【００２５】
また、制御回路７は、定電流回路４の出力を停止させることによって光束的寿命または電源寿命が到来した旨を報知しても良い。
【００２６】
（回路構成例）
図１に示されるＬＥＤ照明装置の模式的回路構成は、図２に示すように表される。図２に示すように、交流電源１に整流回路２が接続され、整流回路２に平滑回路３が接続され、平滑回路３に定電流回路４が接続され、定電流回路４にＬＥＤ５が接続されている。また、平滑回路３にＤＣ／ＤＣコンバータ９が接続され、ＤＣ／ＤＣコンバータ９に制御回路７が接続されている。制御回路７には、バックアップバッテリー１１やパイロットランプ１２が接続されていても良い。
【００２７】
ここで、ＬＥＤ５の近傍に第１照度センサ６を設置し、第１照度センサ６の検知信号を制御回路７に供給する。これにより、第１照度センサ６の検知信号を制御回路７においてモニタすることで、ＬＥＤ照明装置の光束的寿命を判定することができる。
【００２８】
また、平滑回路３の後段に抵抗８ａと検知用ＬＥＤ８ｂを接続する。そして、検知用ＬＥＤ８ｂの近傍に第２照度センサ８を設置し、第２照度センサ８の検知信号を制御回路７に供給する。これにより、平滑回路３が備える電解コンデンサの容量変化が検知用ＬＥＤ８ｂによって光に変換される。その光を第２照度センサ８で受光し、第２照度センサ８の検知信号を制御回路７においてモニタすることで、ＬＥＤ照明装置の電源寿命を判定することができる。
【００２９】
なお、バックアップバッテリー１１を搭載できるＬＥＤ照明装置（例えばシーリングライト）は、カウンタを搭載できるのが通常である。このようなＬＥＤ照明装置では、点灯時間をカウントするカウンタ１０を設置し、そのカウント値を制御回路７に供給しても良い。これにより、カウンタ１０のカウント値を制御回路７においてモニタすることで、ＬＥＤ照明装置の電源寿命を判定することができる。
【００３０】
ここでは、第１検知部６として第１照度センサ６を例示し、第２検知部８として第２照度センサ８を例示しているが、第１検知部６や第２検知部８は照度センサに限定されるものではない。例えば、第１検知部６としてはフォトダイオードなどを使用することができ、また、第２検知部８としてはフォトダイオードやフォトトランジスタなどを使用することができる。
【００３１】
（寿命判定方法）
実施の形態に係るＬＥＤ照明装置の寿命判定方法は、交流電源の交流を整流する整流ステップと、整流された直流電流を平滑化する平滑ステップと、平滑化された電流を一定の電流にしてＬＥＤ５を定電流駆動する駆動ステップと、ＬＥＤ５の照度を検知する第１検知ステップと、検知されたＬＥＤ５の照度が閾値ＬT以下になると、ＬＥＤ照明装置の光束的寿命が到来したと判定する判定ステップとを有する。また、検知用ＬＥＤ８ｂの光出力を検知する第２検知ステップを有し、検知用ＬＥＤ８ｂの明滅が所定レベル以上になると、ＬＥＤ照明装置の電源寿命が到来したと判定しても良い。以下、このような寿命判定方法をＬＥＤ照明装置の動作とともに更に詳しく説明する。
【００３２】
（動作例）
実施の形態に係るＬＥＤ照明装置の動作は、図３に示すように表される。
【００３３】
まず、ＬＥＤ５の照度を第１照度センサ６が検知すると、その検知信号が制御回路７に供給される（ステップＳ１）。これにより、制御回路７は、第１照度センサ６の検知信号に基づいてＬＥＤ照明装置の光束的寿命が到来したかどうかを判定する（ステップＳ２）。
【００３４】
一方、検知用ＬＥＤ８ｂの光出力を第２照度センサ８が検知すると、その検知信号が制御回路７に供給される（ステップ３）。これにより、制御回路７は、第２照度センサ８の検知信号に基づいてＬＥＤ照明装置の電源寿命が到来したかどうかを判定する（ステップＳ４）。
【００３５】
その後、制御回路７は、ＬＥＤ照明装置の光束的寿命または電源寿命が到来したと判定した場合（ステップＳ２：ＹＥＳ、またはステップＳ４：ＹＥＳ）、その旨を使用者に報知する（ステップＳ５）。報知方法は特に限定されるものではなく、様々な方法を採用することができる。例えば、パイロットランプ１２を点灯させても良いし、定電流回路４の出力を低下させたり停止させたりしても良い。これにより、使用者は、ＬＥＤ照明装置の光束的寿命または電源寿命が到来したことを即座に知ることができる。
【００３６】
（光束的寿命の判定動作例）
図３に示される光束的寿命の判定動作の詳細は、図４に示すように表される。
【００３７】
まず、制御回路７は、図示しない記憶部に予め記憶されている閾値ＬTを読み込む（ステップＳ１１）。通常、ＬＥＤは、４万時間で光束値が７０%程度になる（ＪＩＳ  Ｃ８１５２）。そのため、閾値ＬTは、ＬＥＤ５の設計光束値の７０％以下の値とするのが望ましい。また、ＬＥＤ５の調光機能を備える場合は、その調光値の７０％以下の値とするのが望ましい。
【００３８】
次いで、制御回路７は、調光値１００％〜３０％に対する閾値Ｌn（Ｌn＝ＬT×１００％〜ＬT×３０％）を算出する（ステップＳ１２）。調光値１００％〜３０％の範囲内に限定したのは、低出力時は閾値Ｌnと設計値とが近くなり、検出限界が存在するためである。
【００３９】
次いで、制御回路７は、第１照度センサ６を起動するとともに、現在の調光値を確認する（ステップＳ１３→Ｓ１４）。これにより、一定時間、第１照度センサ６によってＬＥＤ５の照度が検知され、その検知信号が制御回路７に供給される（ステップＳ１５）。制御回路７は、一定時間内におけるＬＥＤ５の照度を積算して平均化することによって平均照度Ｌaveを算出する（ステップＳ１９）。一定時間の経過は、図示しないカウンタのカウント値が所定のカウント値以上であるかどうかによって判定することができる（ステップＳ１６→Ｓ１７）。一定時間が経過したら、カウンタをリセットしておく（ステップＳ１７：ＹＥＳ→Ｓ１８）。
【００４０】
次いで、制御回路７は、平均照度Ｌaveと現在の調光値に対する閾値Ｌnとを比較する（ステップＳ２０）。平均照度Ｌaveと比較するようにしたのは、第１照度センサ６の検知信号に含まれるノイズの影響を避けるためである。平均照度Ｌaveが現在の調光値に対する閾値Ｌn以下になると（ステップＳ２０：ＹＥＳ）、ＬＥＤ照明装置の光束的寿命が到来した旨を報知する（ステップＳ２１）。
【００４１】
（電源寿命の判定動作例１）
図３に示される電源寿命の判定動作の詳細は、図５に示すように表される。
【００４２】
まず、制御回路７は、図示しない記憶部に予め記憶されている閾値ＯTを読み込むとともに、第２照度センサ８を起動する（ステップＳ３１→Ｓ３２）。これにより、第２照度センサ８によって検知用ＬＥＤ８ｂの光出力Ｏが検知され、その検知信号が制御回路７に供給される（ステップＳ３３）。閾値ＯTは、検知用ＬＥＤ８ｂの明滅を判定するための値である。すなわち、平滑回路３が備える電解コンデンサの寿命が到来すると、電解コンデンサの容量が低下するため、検知用ＬＥＤ８ｂが明滅する（後述する）。
【００４３】
次いで、制御回路７は、第２照度センサ８によって検知された検知用ＬＥＤ８ｂの光出力Ｏと閾値ＯTとを比較する（ステップＳ３４）。そして、検知用ＬＥＤ８ｂの光出力Ｏが例えば閾値ＯT以下になると（ステップＳ３４：ＹＥＳ）、検知用ＬＥＤ８ｂが明滅しているものと判定し、ＬＥＤ照明装置の電源寿命が到来した旨を報知する（ステップＳ３５）。
【００４４】
（電源寿命の判定動作例２）
電源寿命の判定動作は、図５に示される判定動作に限定されるものではない。例えば、ＬＥＤ照明装置にカウンタ１０が搭載されている場合は、図５に示される判定動作に代えて、または、図５に示される判定動作と並行して、カウンタ１０を用いた判定動作を行うのが望ましい。以下、このようなカウンタ１０を用いた判定動作を図６に従って説明する。
【００４５】
まず、制御回路７は、図示しない記憶部に予め記憶されている閾値ＣTを読み込むとともに、カウンタ１０を起動する（ステップＳ４１→Ｓ４２）。閾値ＣTは、例えば１０万時間など、電源寿命を示す値とする。
【００４６】
次いで、制御回路７は、カウンタ１０のカウント値Ｃと閾値ＣTとを比較する（ステップＳ４４）。そして、カウンタ１０のカウント値Ｃが閾値ＣTを超えると（ステップＳ３４：ＹＥＳ）、ＬＥＤ照明装置の電源寿命が到来した旨を報知する（ステップＳ３５）。
【００４７】
（第１照度センサの設置場所１）
実施の形態に係るＬＥＤ照明装置の模式的断面構造は、図７に示すように表される。
【００４８】
図７に示すように、実施の形態に係るＬＥＤ照明装置は、直管形のＬＥＤランプに適用することができる。光拡散カバー２５は、例えば乳白色のポリカーボネイト等の樹脂からなり、円筒形状に形成される。光拡散カバー２５は、ＬＥＤ基板２１に実装されたＬＥＤ５を保護するとともに、ＬＥＤ５からの光を拡散させつつ透過させる。光拡散カバー２５の長手方向の両端には口金２３が取り付けられ、各口金２３から金属製の棒状部材である給電ピン２４が突出している。このような直管形のＬＥＤランプにおいては、口金２３の内側に空間が存在する。そのため、口金２３の内側に第１照度センサ６を設置すれば、省スペース化を図ることができる。
【００４９】
（第１照度センサの設置場所２）
実施の形態に係る別のＬＥＤ照明装置の模式的平面構造は、図８（ａ）に示すように表され、その模式的断面構造は、図８（ｂ）に示すように表される。また、図８（ａ）に示される領域Ｅを拡大した模式的平面構造は、図９に示すように表される。
【００５０】
図８（ａ）（ｂ）に示すように、実施の形態に係るＬＥＤ照明装置は、天井の表面に取り付けられるシーリングライトに適用することができる。円形の枠体３０内の搭載板３６には８個のＬＥＤアレイ３２が円形状に設けられる。また、ＬＥＤアレイ３２の内側には４個のＬＥＤアレイ３３が矩形状に設けられ、更に、ＬＥＤアレイ３３の内側には４個のＬＥＤアレイ３４が矩形状に設けられる。ＬＥＤアレイ３２・３３・３４を構成する各ＬＥＤ基板３１には、その長手方向に沿って複数のＬＥＤ５が実装されている。円形の枠体３０の上には、ＬＥＤアレイ３２・３３・３４を覆うドーム状のカバー３０ａが取り付けられる。
【００５１】
このようなシーリングライトにおいては、図８（ｂ）に示すように、第１照度センサ６を電源基板３５上に設置するのが望ましい。第１照度センサ６のセンサ面は、図面上で上向きに設置される。また、図９に示すように、搭載板３６における第１照度センサ６と対向する部分に窓Ｗを形成し、カバー３０ａからの反射光を取り込む。このように、第１照度センサ６を電源基板３５上に設置すれば、省スペース化を図ることができるだけでなく、別基板に分割しなくて済むため、ノイズが混入する可能性を低減することが可能である。更に、電源基板３５はＬＥＤ基板３１より下方に設置されるため、第１照度センサ６がＬＥＤ５の光を遮ることがない。
【００５２】
（照度センサ）
実施の形態に係るＬＥＤ照明装置が備える第１照度センサ６または第２照度センサ８のデバイス構造は、図１０に示すように表され、その等価回路は、図１１に示すように表される。図１０および図１１に示すように、複数のフォトダイオードで照度センサを構成している。具体的には、フォトダイオード構造４３の上にパッシベーション層４２が形成され、更にその上にフィルタ層４１が形成されている。ＢＬ／ｓｕｂ、ＢＬ／ＬＩ（ＰＷ）、ＮＳＤ／ＰＷの３つのＰＮ接合を持ち、それぞれ特性が異なる。表面にあるほど短い波長の光を吸収しやすい。ここでは、ＢＬ／ｓｕｂをフォトダイオードＤ１、ＮＳＤ／ＰＷをフォトダイオードＤ２、ＢＬ／ＬＩをフォトダイオードＤ３と記載している。もちろん、第１照度センサ６または第２照度センサ８のデバイス構造はこれに限定されるものではなく、適宜変更することが可能である。
【００５３】
（波形例）
実施の形態に係るＬＥＤ照明装置の電源寿命が到来していない場合の波形は、図１２に示すように表される。すなわち、交流電源１の出力波形（５０Ｈｚ／６０Ｈｚ）は、図１２（ａ）に示すように表される。また、整流回路２の出力波形（５０Ｈｚ／６０Ｈｚ、または１００Ｈｚ／１２０Ｈｚ）は、図１２（ｂ）に示すように表される。ここで、ＬＥＤ照明装置の電源寿命が到来していない場合は、図１２（ｃ）に示すように、平滑回路３が備える電解コンデンサによって整流回路２の出力電圧中に含まれる脈流分が平滑化される。そのため、検知用ＬＥＤ８ｂの光出力は、図１２（ｄ）に示すように、ほぼ一定の値となる。
【００５４】
実施の形態に係るＬＥＤ照明装置の電源寿命が到来している場合の波形は、図１３に示すように表される。図１３（ａ）（ｂ）に示される波形については、図１２（ａ）（ｂ）と同様である。ここで、ＬＥＤ照明装置の電源寿命が到来している場合は、図１３（ｃ）に示すように、平滑回路３が備える電解コンデンサによって整流回路２の出力電圧中に含まれる脈流分（５０Ｈｚ／６０Ｈｚ、または１００Ｈｚ／１２０Ｈｚ）を十分に平滑化することができない。そのため、図１３（ｄ）に示すように、検知用ＬＥＤ８ｂの光出力には同様の脈流分が含まれることになり、検知用ＬＥＤ８ｂが明滅する。この光出力の落ち込みを第２照度センサ８で検知すれば、ＬＥＤ照明装置の電源寿命が到来したことを検知することが可能である（図５のステップＳ３４参照）。
【００５５】
以上のように、本実施の形態によれば、照度センサなどを用いた簡単な構成によってＬＥＤ照明装置の寿命が到来したことを判定することができる。そのため、コストを削減することができるとともに、省スペース化を図ることが可能である。
【００５６】
特に、高速道路、トンネル、街路灯、病院、オフィスなど、ＬＥＤ照明装置の使用箇所によっては、必要とされる照度が規定される。そのため、光束的寿命が到来した旨を即座に使用者に知らせることは重要である。また、ＬＥＤ照明装置は、長寿命というセールスポイントから、交換やメンテナンスを行いにくい箇所に使用されることも多い。このようなＬＥＤ照明装置の電源寿命を判定することは、安全性の観点から必要である。本実施の形態によれば、光束的寿命と電源寿命の両方を判定し、いずれかの寿命が到来した場合は、その旨を即座に使用者に知らせることができる。
【００５７】
以上説明したように、本発明によれば、簡単な構成によって寿命が到来したことを判定可能なＬＥＤ照明装置およびその寿命判定方法を提供することができる。
【００５８】
[その他の実施の形態]
上記のように、本発明は実施の形態によって記載したが、この開示の一部をなす論述および図面は例示的なものであり、この発明を限定するものであると理解すべきではない。この開示から当業者には様々な代替実施の形態、実施例および運用技術が明らかとなろう。
【００５９】
このように、本発明はここでは記載していない様々な実施の形態などを含む。
【産業上の利用可能性】
【００６０】
本発明に係るＬＥＤ照明装置は、直管形のＬＥＤランプやシーリングライトなど、各種のＬＥＤ照明装置に適用することができる。
【符号の説明】
【００６１】
１…交流電源
２…整流回路
３…平滑回路
４…定電流回路
５…ＬＥＤ
６…第１検知部（第１照度センサ）
７…制御回路
８…第２検知部（第２照度センサ）
８ｂ…検知用ＬＥＤ
１２…パイロットランプ
２３…口金
３５…電源基板
【図１】
2014203517.tif 000003
【図２】
2014203517.tif 000004
【図３】
2014203517.tif 000005
【図４】
2014203517.tif 000006
【図５】
2014203517.tif 000007
【図６】
2014203517.tif 000008
【図７】
2014203517.tif 000009
【図８】
2014203517.tif 000010
【図９】
2014203517.tif 000011
【図１０】
2014203517.tif 000012
【図１１】
2014203517.tif 000013
【図１２】
2014203517.tif 000014
【図１３】
2014203517.tif 000015